(57)【要約】【課題】製造コストをかけずに、大きさや床面等のデザインの異なる床パンを得ることができるとともに、大きな床パンであってもその最大厚み部分の暑さを薄くすることができ、かつ、床面の排水勾配をできるだけ緩いものとすることができる床パンおよびこの床パンを用いた床構造を提供することを目的としている。【解決手段】予め成形された複数の床面構成部材を連結して床面が形成されるとともに、前記床面の外周に沿って配置される床面構成部材と、床面の外周を囲む枠部を形成する予め成形された枠部構成部材とが連結されて形成され、かつ、前記床面構成部材が、それぞれ床面部と排水口とを有する床面構成部材本体と、排水口の上方を覆う排水口蓋とを備えていることを特徴としている。【選択図】      図１
2008095433.tif 000002
【特許請求の範囲】
【請求項１】
予め成形された複数の床面構成部材を連結して床面が形成されるとともに、前記床面の外周に沿って配置される床面構成部材と、床面の外周を囲む枠部を形成する予め成形された枠部構成部材とが連結されて形成され、かつ、前記床面構成部材が、それぞれ床面部と排水口とを有する床面構成部材本体と、排水口の上方を覆う排水口蓋とを備えていることを特徴とする床パン。
【請求項２】
排水口が床面構成部材本体の中央に設けられているとともに、床面部が床面構成部材本体の周縁から排水口に向かって最小限の排水勾配を有する傾斜面によって形成されている請求項１に記載の床パン。
【請求項３】
排水口蓋の裏面に、床面構成部材本体に受けられるとともに、排水口への異物の流入を防止する複数の支持脚が、排水口の周囲を囲むように、櫛歯状に形成されている請求項１または請求項２に記載の床パン。
【請求項４】
床面構成部材本体が、排水口の周囲に床面部から段状に落ち込む窪み部を有し、前記排水口蓋は、窪み部に嵌り込むとともに、排水口蓋の上面が中央から周縁に向かう排水勾配を有し、排水口蓋が前記窪み部に嵌り込んだ状態で排水口蓋周縁と、窪み部の側壁上端縁とが同じ高さになるように形成されている請求項１〜請求項３のいずれかに記載の床パン。
【請求項５】
各床面構成部材が、排水口からの室内側への悪臭の流れ込み防止する封水手段を備えている請求項１〜請求項４のいずれかに記載の床パン。
【請求項６】
封水手段が、排水口周囲を囲むように床面構成部材本体にリング状に凹設された水溜り部と、排水口蓋の裏面から筒状に突出し、排水口蓋が排水口を覆った状態で前記水溜り部に嵌り込む筒状部とから構成されている請求項５に記載の床パン。
【請求項７】
平面視縦５００ｍｍ×横５００ｍｍの床面構成部材Ａ、平面視縦５００ｍｍ×横３７５ｍｍの床面構成部材Ｂおよび平面視縦３７５ｍｍ×横３７５ｍｍの床面構成部材Ｃからなる寸法の異なる３種の床面構成部材の少なくともいずれか１種と、
平面視幅２５ｍｍの枠部構成部材Ａ、平面視幅５０ｍｍの枠部構成部材Ｂ、平面視幅７５ｍｍの枠部構成部材Ｃ、平面視幅１００ｍｍの枠部構成部材Ｄ、平面視幅１２５ｍｍの枠部構成部材Ｅ、平面視幅１５０ｍｍの枠部構成部材Ｆの寸法の異なる６種の枠部構成部材の少なくともいずれか１種と選択し、選択された床面構成部材および枠部構成部材を組み合わせて形成される請求項１〜請求項６のいずれかに記載の床パン。
【請求項８】
６種の枠部構成部材が、側壁部と、この側壁部の下端からそれぞれ床面構成部材との連結側端縁に向かって下り勾配となる傾斜床面形成部と、傾斜床面形成部の終端から下方に伸びる垂直面と、この垂直面から水平に延出して連結される床面構成部材を受ける床面構成部材受部とを有するとともに、前記傾斜床面形成部の最高位置と最低位置との高低差および傾斜床面形成部終端から床面構成部材受部までの高低差が同じである請求項７に記載の床パン。
【請求項９】
請求項１〜請求項８のいずれかに記載の床パンの下面に防水シートを介在させた状態で板状構造材を沿わせるとともに、板状構造材を支持脚で受けて床パンの高さ調整がなされることを特徴とする床構造。
【発明の詳細な説明】
【技術分野】
【０００１】
本発明は、たとえば、浴室やシャワー室の床面、厨房等の床面を形成するのに用いる床パンおよびこの床パンを用いた床構造に関する。
【背景技術】
【０００２】
昨今の住宅では、たとえば、図１４に示すような浴室ユニット１００を用いた浴室が一般的である。
すなわち、この浴室ユニット１００は、図１４に示すように、建物躯体内の床２００に台座２１０を置くとともに、台座２１０の上に洗い場用床パン３００および浴槽用床パン４００を設置し、この洗い場用床パン３００および浴槽用床パン４００の周縁部に壁パネル（図示せず）を建廻らし、壁パネルの上縁部に天井パネル（図示せず）を載置して画成されるようになっている。図１５中、５００は浴槽、６００は封水手段（排水トラップ）である。
【０００３】
そして、洗い場用床パンとしては、図１５に示すような洗い場用床パン３００が既に提案されている（特許文献１参照）。
すなわち、この洗い場用床パン３００は、洗い場床面３１０を３方の側縁からそれぞれ排水口３２０に向かって下り勾配となった３つの傾斜面３１１〜３１３で形成することによって、洗い場床面３１０を囲む３方の側壁面の床面からの立ち上がり高さを一定にして側縁に浴室出入口のドアを設けても、跨ぎ込み高さを一定に、かつ、低く抑えることができてバリアフリー化を図れるようにしている。しかも、各傾斜面３１１〜３１３は、入浴者等が洗い場の傾斜によって足を滑らせて怪我をするといった事故を起こさないように、勾配をできるだけ緩やかなものとしている。
【０００４】
しかしながら、上記洗い場用床パン３００の構造では、いくら各傾斜面３１１〜３１３の勾配を緩いものにしたとしても、大きなサイズの床パン３００の場合、傾斜面の最高点と、最低点との高低差がかなり大きなものとなってしまう。したがって、結果として排水口部分での床パンの厚みが厚いものになってしまう。
【０００５】
一方、排水口の下方には排水トラップ等を設けなければならないため、建物躯体内の床２００との間の隙間を一定以上確保しなければならないが、上記のように排水口部分での床パンの厚みが厚いものになってしまうと、厚みの厚くなった分だけ床パンの最高点の位置が上方にずれ、天井面との間が少なくなってしまい、浴室空間が狭いものになってしまうという問題があるとともに、他の部分を厚みの薄いものとすることができても、排水口部分が厚いため、積み重ねて搬送したり保管したりする場合にも大きなスペースが必要となるといった問題がある。
【０００６】
また、このような床パンは、一般的に強化繊維が配合された熱硬化性樹脂組成物やＡＢＳ樹脂等を熱プレス成形することにより得られるのであるが、建物の大きさやユーザーの好みによって、その要求される大きさや床面のデザイン等が一律ではない。したがって、従来はいろいろな要求に応えることができるように、ある程度大きさや床面のデザイン等が異なる床パンを用意している。
しかしながら、たくさんの種類の床パンを用意するには、床パンの数だけ金型も用意しなければならず、金型コストがかかるとともに、金型の保管場所も広いスペースが必要で非常に不経済である。
【０００７】
一方、金型数が少なくていろいろなサイズの床パンを得るために、裏面に碁盤の目状に所定のピッチでリブが突設されたベース床材と、内側の下端に前記リブが係合可能な係合溝が上向きに設けられた立ち上がり部材と、平面視略正方形状で立ち上がり部材と等しい断面形状を有するコーナー部材とで構成され、リブの外側で切断されたベース部材の四方の辺に、それぞれこの辺と等しい長さの立ち上がり部材が取り付けられると共に、各立ち上がり部材の端部が臨む四方角部にコーナー部材が取り付けられることにより、所望の大きさに形成されるようになされたものが提案されている（特許文献２参照）。
【０００８】
すなわち、この床パン（防水パン）は、ベース床材を切断することにより、任意の大きさのものを形成することができるので、従来のように防水パンのサイズに応じた複数の成形用金型を準備する必要がなく、金型にかかる設備投資費が削減されると共に、金型を設置保管するための付帯設備も従来のように大掛かりにならないという効果がある。また、リブのピッチ間隔に応じて床パンのサイズを細かく設定できるので、浴室ユニットのサイズバリエーションの多様化にも容易に対応できるようになっている。
【０００９】
しかしながら、この床パンの場合、サイズの小さいものを得る場合、ベース床材を切断するようになっているため、廃棄物が多数出て材料コストや廃棄物の処理コストが嵩むという問題がある。
【００１０】
【特許文献１】特開2001-248199号公報
【特許文献２】特開2003-82727号公報
【発明の開示】
【発明が解決しようとする課題】
【００１１】
本発明は、上記事情に鑑みて、製造コストをかけずに、大きさや床面等のデザインの異なる床パンを得ることができるとともに、大きな床パンであってもその最大厚み部分の暑さを薄くすることができ、かつ、床面の排水勾配をできるだけ緩いものとすることができる床パンおよびこの床パンを用いた床構造を提供することを目的としている。
【課題を解決するための手段】
【００１２】
上記目的を達成するために、本発明の請求項１に記載の床パン（以下、「請求項１の
床パン」と記す）は、予め成形された複数の床面構成部材を連結して床面が形成されるとともに、前記床面の外周に沿って配置される床面構成部材と、床面の外周を囲む枠部を形成する予め成形された枠部構成部材とが連結されて形成され、かつ、前記床面構成部材が、それぞれ床面部と排水口とを有する床面構成部材本体と、排水口の上方を覆う排水口蓋とを備えていることを特徴としている。
【００１３】
本発明の請求項２に記載の床パン（以下、「請求項２の床パン」と記す）は、請求項１の床パンにおいて、排水口が床面構成部材本体の中央に設けられているとともに、床面部が床面構成部材本体の周縁から排水口に向かって最小限の排水勾配を有する傾斜面によって形成されていることを特徴としている。
【００１４】
本発明の請求項３に記載の床パン（以下、「請求項３の床パン」と記す）は、請求項１または請求項２の床パンにおいて、排水口蓋の裏面に、床面構成部材本体に受けられるとともに、排水口への異物の流入を防止する複数の支持脚が、排水口の周囲を囲むように、櫛歯状に形成されていることを特徴としている。
【００１５】
本発明の請求項４に記載の床パン（以下、「請求項４の床パン」と記す）は、請求項１〜請求項３のいずれかにの床パンにおいて、床面構成部材本体が、排水口の周囲に床面部から段状に落ち込む窪み部を有し、前記排水口蓋は、窪み部に嵌り込むとともに、排水口蓋の上面が中央から周縁に向かう排水勾配を有し、排水口蓋が前記窪み部に嵌り込んだ状態で排水口蓋周縁と、窪み部の側壁上端縁とが同じ高さになるように形成されていることを特徴としている。
【００１６】
本発明の請求項５に記載の床パン（以下、「請求項５の床パン」と記す）は、請求項１〜請求項４のいずれかにの床パンにおいて、各床面構成部材が、排水口からの室内側への悪臭の流れ込み防止する封水手段を備えていることを特徴としている。
【００１７】
本発明の請求項６に記載の床パン（以下、「請求項６の床パン」と記す）は、請求項５の床パンにおいて、封水手段が、排水口周囲を囲むように床面構成部材本体にリング状に凹設された水溜り部と、排水口蓋の裏面から筒状に突出し、排水口蓋が排水口を覆った状態で前記水溜り部に嵌り込む筒状部とから構成されていることを特徴としている。
【００１８】
本発明の請求項７に記載の床パン（以下、「請求項７の床パン」と記す）は、請求項１〜請求項６のいずれかにの床パンにおいて、平面視縦５００ｍｍ×横５００ｍｍの床面構成部材Ａ、平面視縦５００ｍｍ×横３７５ｍｍの床面構成部材Ｂおよび平面視縦３７５ｍｍ×横３７５ｍｍの床面構成部材Ｃからなる寸法の異なる３種の床面構成部材の少なくともいずれか１種と、平面視幅２５ｍｍの枠部構成部材Ａ、平面視幅５０ｍｍの枠部構成部材Ｂ、平面視幅７５ｍｍの枠部構成部材Ｃ、平面視幅１００ｍｍの枠部構成部材Ｄ、平面視幅１２５ｍｍの枠部構成部材Ｅ、平面視幅１５０ｍｍの枠部構成部材Ｆの寸法の異なる６種の枠部構成部材の少なくともいずれか１種と選択し、選択された床面構成部材および枠部構成部材を組み合わせて形成されることを特徴としている。
【００１９】
本発明の請求項８に記載の床パン（以下、「請求項８の床パン」と記す）は、請求項７の床パンにおいて、６種の枠部構成部材が、側壁部と、この側壁部の下端からそれぞれ床面構成部材との連結側端縁に向かって下り勾配となる傾斜床面形成部と、傾斜床面形成部の終端から下方に伸びる垂直面と、この垂直面から水平に延出して連結される床面構成部材を受ける床面構成部材受部とを有するとともに、前記傾斜床面形成部の最高位置と最低位置との高低差および傾斜床面形成部終端から床面構成部材受部までの高低差が同じであることを特徴としている。
【００２０】
本発明の請求項９に記載の床構造（以下、「請求項９の床構造」と記す）は、請求項１〜請求項８のいずれかの床パンの下面に防水シートを介在させた状態で板状構造材を沿わせるとともに、板状構造材を支持脚で受けて床パンの高さ調整がなされることを特徴としている。
【発明の効果】
【００２１】
請求項１の床パンは、以上のように、予め成形された複数の床面構成部材を連結して床面が形成されるとともに、前記床面の外周に沿って配置される床面構成部材と、床面の外周を囲む枠部を形成する予め成形された枠部構成部材とが連結されて形成され、かつ、前記床面構成部材が、それぞれ床面部と排水口とを有する床面構成部材本体と、排水口の上方を覆う排水口蓋とを備えているので、大きさやデザインの異なる数種類の床面構成部材および枠部構成部材を用意すれば、床面構成部材を変更したり、床面構成部材の連結数および枠部構成部材の連結数を増減させることによって、用意された床面構成部材および枠部構成部材の数以上の床パンの床面のデザインや大きさの異なる床パンを得ることができる。したがって、金型コストが低減されるとともに、金型が小型化でき、金型の保管スペースも小さくすることができる。また、廃棄物もほとんど発生せず、廃棄物等の処理コストもかからない。
【００２２】
さらに、各床面構成部材ごとに排水口が設けられているので、床面の最高点と最低点との高低差を小さくすることができ、結果として床パンの最大厚みを薄くすることができる。
したがって、床面から天井面までの高さを十分に確保できるようになる。
【００２３】
請求項２の床パンは、排水口が床面構成部材本体の中央に設けられているとともに、床面部が床面構成部材本体の周縁から排水口に向かって最小限の排水勾配を有する傾斜面によって形成されているので、より薄型化できる。
【００２４】
請求項３の床パンは、排水口蓋の裏面に、床面構成部材本体に受けられるとともに、排水口への異物の流入を防止する複数の支持脚が、排水口の周囲を囲むように、櫛歯状に形成されているので、この支持脚によって髪の毛等の異物が排水口側に流れ込むのを防止でき、異物の流入による排水管のつまり等を防止することができる。
【００２５】
請求項４の床パンは、床面構成部材本体が、排水口の周囲に床面部から段状に落ち込む窪み部を有し、前記排水口蓋は、窪み部に嵌り込むとともに、排水口蓋の上面が中央から周縁に向かう排水勾配を有し、排水口蓋が前記窪み部に嵌り込んだ状態で排水口蓋周縁と、窪み部の側壁上端縁とが同じ高さになるように形成されているので、排水口蓋が足にひっかかったりすることがなく、安全である。
【００２６】
請求項５の床パンは、各床面構成部材が、排水口からの室内側への悪臭の流れ込み防止する封水手段を備えているので、排水路側からの室内側への悪臭の流れ込みを確実に防止できる。
【００２７】
請求項６の床パンは、封水手段が、排水口周囲を囲むように床面構成部材本体に凹設されたリング状溝部と、排水口蓋の裏面から筒状に突出し、排水口蓋が排水口を覆った状態で前記リング状溝部に嵌り込む筒状部とから構成されているので、構造が容易で安価に形成することができる。
【００２８】
請求項７の床パンは、平面視縦５００ｍｍ×横５００ｍｍの床面構成部材Ａ、平面視縦５００ｍｍ×横３７５ｍｍの床面構成部材Ｂおよび平面視縦３７５ｍｍ×横３７５ｍｍの床面構成部材Ｃからなる寸法の異なる３種の床面構成部材の少なくともいずれか１種と、平面視幅２５ｍｍの枠部構成部材Ａ、平面視幅５０ｍｍの枠部構成部材Ｂ、平面視幅７５ｍｍの枠部構成部材Ｃ、平面視幅１００ｍｍの枠部構成部材Ｄ、平面視幅１２５ｍｍの枠部構成部材Ｅ、平面視幅１５０ｍｍの枠部構成部材Ｆの寸法の異なる６種の枠部構成部材の少なくともいずれか１種と選択し、選択された床面構成部材および枠部構成部材を組み合わせて形成されるので、床パン寸法を５０mmピッチで変更することができる。
【００２９】
請求項８の床パンは、６種の枠部構成部材が、側壁部と、この側壁部の下端からそれぞれ床面構成部材との連結側端縁に向かって下り勾配となる傾斜床面形成部と、傾斜床面形成部の終端から下方に伸びる垂直面と、この垂直面から水平に延出して連結される床面構成部材を受ける床面構成部材受部とを有するとともに、前記傾斜床面形成部の最高位置と最低位置との高低差および傾斜床面形成部終端から床面構成部材受部までの高低差が同じであるので、床パンの各辺ごとに異なる幅の枠部構成部材で形成するようにしても、コーナー部でうまく床面構成部材が受けられるようにすることができる。
【００３０】
請求項９の床構造は、本発明の床パンの下面に防水シートを介在させた状態で板状構造材を沿わせるとともに、板状構造材を支持脚で受けて床パンの高さ調整がなされるので、レベル合わせが容易であるとともに、床下への漏水等を確実に防止することができる。
【発明を実施するための最良の形態】
【００３１】
以下に、本発明を、その実施の形態をあらわす図面を参照しつつ詳しく説明する。
図１〜図１４は、本発明の床パンの１つの実施の形態をあらわしている。
【００３２】
図１に示すように、この床パン１は、浴室ユニットの洗い場用であって、ＡＢＳ樹脂製の６つの床面構成部材（排水ブロック）２と、ＡＢＳ樹脂製の４つの枠部構成部材３ａ、３ｂ、３ｃが連結されることによって形成されている。
床面構成部材２は、図１および図２に示すように、平面視正方形をしていて、床面構成部材本体２aと、排水口蓋２ｂとを備えている。
【００３３】
床面構成部材本体２aは、平面視で正方形をしていて、図４に示すように、上端部２０ａが下端部２０ｂより少し小さくなっている。そして、上面側には、図１、図４、図５に示すように、４辺からそれぞれ中央に向かって湯水が流下可能な下り勾配を有する４つの傾斜面２１ａを備える床面部２１と、中央部に傾斜面２１ａの端部から段状に落ち込むその外縁部が平面視で後述する排水口蓋２ｂの外形より少し大きな略正方形をしている窪み部２２とを有している。
床面部２１は、対向する２つの傾斜面２１ａの窪み部２２側の端縁に後述する排水口蓋２ｂを取り外す際の指の引っ掛け口とのなる切欠凹部２３が設けられている。
【００３４】
窪み部２２は、図５に示すように、中央に排水口２３を有し、排水口２３と傾斜面２１ａの下端縁との間に外側から、傾斜面部２２ａと、段落部２２ｂと、水溜り部２２ｃとを備えている。
傾斜面部２２ａは、窪み部２２の外縁から排水口２３に向かって床面部２１の傾斜面２１ａより急な勾配に形成されている。
【００３５】
段落部２２ｂは、傾斜面部２２ａの下端から段状に下方へ落ち込むとともに、その表面が排水口２３方向に向かって極わずかな下り勾配面となっている。
水溜り部２２ｃは、後で詳述する封水手段の一部を構成するようになっていて、排水口２３の周囲を囲むように段落部２２ｂと、排水口２３との間にリング状に凹設されている。
【００３６】
排水口２３は、排水孔２３ａを中央に有し、後述するストレーナ２４の係止部となるリング状の鍔部２３ｂが窪み部２２からストレーナ２４の係止部２３ｂの厚み分だけ下方位置に設けられている。
【００３７】
床面構成部材本体２aの裏面には、図４に示す連結用脚部２５と図４および図５に示す支持リブ２６が突設されている。
連結用脚部２５は、床面構成部材本体２aの周縁部の沿って設けられているとともに、図４に示すように、下端に後述する連結部材６の嵌合溝６１に嵌り込む嵌合凸部２５ａが設けられ、中央に嵌合凸部２５ａから床面構成部材本体２aの表面側に向かってスリット２５ｂが設けられている。
【００３８】
支持リブ２６は、連結用脚部２５より排水口２３側で床面構成部材本体２aの周縁に平行に設けられるとともに、敷設時に後述する合板（コンパネ）などの板状構造材９に下端が受けられるようになっている。
【００３９】
排水口蓋２ｂは、図５に示すように、蓋本体２７と、封水手段の残部を構成する筒状部２８と、多数の支持脚２９とを備えている。
蓋本体２７は、図１および図５に示すように、外形が平面視で床面構成部材本体２aの１／３〜１／５の大きさ、すなわち窪み部２２に嵌り込む大きさの略正方形をしていて、表面側が中央から外縁に向かって下り勾配を有する４つの傾斜面２７ａで形成されている。
【００４０】
筒状部２８は、蓋本体２７の裏面の水溜り部２２ｃを臨む位置に、蓋本体２７から筒状に突出し、水溜り部２２ｃに嵌り込むとともに、水溜り部２２ｃに嵌り込んだ状態で、筒状部２８の下端と水溜り部２２ｃの底との間、および、水溜り部２２ｃの内外の側壁との間に隙間が形成されるようになっている。
筒状部２８の蓋本体２７側の端部には、十字状にリブ２８ａが設けられ、排水口蓋２ｂを排水口２３を覆うように配置したとき、リブ２８ａ下端が排水口２３の周縁部上端で受けられて、蓋本体２７に上方から掛かる荷重が、リブ２８ａを介して床面構成部材本体２aに受けられるようになっている。
【００４１】
多数の支持脚２９は、蓋本体２７の裏面の、窪み部２２の傾斜面部２２ａを臨む位置に筒状部２８の周囲を囲むように櫛歯状に形成されていて、排水口蓋２ｂを排水口２３を覆うように配置したとき、支持脚２９の下端が傾斜面部２２ａに受けられて蓋本体２７に上方から掛かる荷重が、支持脚２９を介して床面構成部材本体２aに受けられるようになっている。
そして、排水口蓋２ｂは、窪み部２２に蓋本体２７が嵌り込んだ状態で、蓋本体２７の傾斜面２７ａの下端と、床面部２１の傾斜面２１ａの下端、ずなわち、水下同士が略同じ高さになりほとんど段差が形成されないとともに、傾斜面２７ａの最高点と、傾斜面２１ａの最高点、すなわち、水上同士が同じレベルになるよう形成されている。
【００４２】
ストレーナ２４は、図５に示すように、排水孔２３ａに嵌り込む網かご部２４ａと、この網かご部２４ａの上端縁から外側に鍔状に張り出し、リング状の鍔部２３ｂに係止される係止部２４ｂとを備えている。
【００４３】
そして、床面構成部材２は、図４に示すようにして他の隣接する床面構成部材２と連結されるようになっている。
すなわち、ポリアセタール樹脂（POM）等で形成され、２条の嵌合溝６１を平行に設けた連結部材６の、シリーコーン樹脂系等のシーリング剤を充填した状態で、連結される一方の床面構成部材２の嵌合凸部２５ａを一方の嵌合溝６１に嵌合させるとともに、同様にしてもう一方の嵌合溝６１に、他方の床面構成部材２の嵌合凸部２５ａを嵌合させる。この状態で連結される２つの床面構成部材２は、その下端部２０ｂ同士が密着した状態になるが、床面構成部材２の上端部２０ａ間には、少し隙間が生じた状態となる。また、連結状態で連結部材６の下端は、支持リブ２６と同じ高さ位置になる。
【００４４】
つぎに、上記のように、床面構成部材２の上端部２０ａ間に生じた隙間にシーリング剤（図示せず）を充填するとともに、オレフィン系熱可塑性樹脂エラストマー（ＴＰＯ）製のほぼ床面構成部材２の一辺の長さをした帯状の上方カバー部７１と、この上方カバー部７１の下面中央部から上方カバー部７１に対して直交するように延出する圧入部７２とを有する目地材７ａを、床面構成部材２の上端部２０ａ間の隙間に上方カバー部７１が床面部２１の端縁に当接するまで圧入するとともに、図６に示すように、４つの床面構成部材２のコーナー部が突き合う部分では、上方カバー部７１と上方カバー部７１との間にシーリング剤を充填するとともに、上方カバー部７１の幅と略同じ幅の十字の溝（図示せず）を下面側に備えたキャップ７ｂを被せるようにする。
【００４５】
枠部構成部材３ａは、図７〜図９に示すように、上端に壁パネル受部３１ａを有する側壁部３１と、側壁部３１の下端から床面構成部材との連結側端縁に向かって下り勾配となる傾斜床面形成部３２と、この傾斜床面形成部３２の終端から下方に伸びる垂直面３３と、この垂直面３３から水平に延出して連結される床面構成部材２を受ける床面構成部材受部３４とを備えている。
床面構成部材受部３４は、その上面に床面構成部材２の嵌合凸部２５ａが嵌り込む嵌合溝３４ａが形成されている。
【００４６】
枠部構成部材３ｂは、傾斜床面形成部３５の幅が、上記枠部構成部材３ａの傾斜床面形成部３２の幅に比べ、狭くなっている以外は、枠部構成部材３ａと同じになっている。すなわち、傾斜床面形成部３５の勾配の最高点（立ち上がり壁下端）から最低点（傾斜床面形成部３５の下端）の高低差と、傾斜床面形成部３２の傾斜面の最高点（側壁部３１の下端）から最低点（傾斜床面形成部３２の傾斜面下端）との高低差が同じになっている。
【００４７】
枠部構成部材３ｃは、図１０および図１１に示すように、立ち上がり壁３６と、立ち上がり壁３６の上端から延出する浴槽用床パネル（図示せず）との係合部３７と、立ち上がり壁３６の下部から延出する枠部構成部材３ａと同様の床面構成部材受部３４とを備え、傾斜床面形成部３２を備えていない。
【００４８】
そして、枠部構成部材３ａと枠部構成部材３ｂとは、図９に示すように、端縁部が軸に対して斜めに切断され、斜めに切断された傾斜床面形成部３２および傾斜床面形成部３５の切断面同士が密着するようにシーリング剤を介して突き合わされるとともに、この突合せ部を覆うように金属あるいは合成樹脂製の連結プレート４をシーリング剤を介して傾斜床面形成部３２および傾斜床面形成部３５の上面に跨って載せ、連結プレート４に設けられたねじ挿通孔（図示せず）ごしに固定ねじ４１が傾斜床面形成部３２および傾斜床面形成部３５にねじ込まれることによって連結固定されるようになっている。
また、連結プレート４の上部には、シーリング剤を介してカバー材５を被せて連結部を見栄えよくするとともに、防水性を確保するようになっている。なお、図９中、４２は、カバー材５の裏面に設けられた嵌合凹部（図示せず）に嵌合する嵌合突起である。
【００４９】
そして、枠部構成部材３ａ（３ｂ）と床部構成部材２とは、図８に示すように、床部構成部材２の嵌合凸部２５ａをシーリング剤を充填した床面構成部材受部３４の嵌合溝３４ａに嵌合させることによって連結される。なお、コーナー部に位置する床部構成部材２の場合、コーナー部側の２辺のうちの一方の嵌合凸部２５ａが枠部構成部材３ａの床面構成部材受部３４の嵌合溝３４ａ、他方の嵌合凸部２５ａが枠部構成部材３ｂの床面構成部材受部３４の嵌合溝３４ａに嵌合して両枠部構成部材３ａ、３ｂと連結される。また、このとき、枠部構成部材３ｂは、傾斜床面形成部３５の幅が、上記枠部構成部材３ａの傾斜床面形成部３２の幅に比べ、狭くなっているとともに、傾斜床面形成部３５の勾配の最高点（立ち上がり壁下端）から最低点（傾斜床面形成部３５の下端）の高低差と、傾斜床面形成部３２の勾配の最高点（立ち上がり壁下端）から最低点（傾斜床面形成部３２の下端）との高低差が同じになっているので、斜めに端部を切断することによって傾斜床面形成部３５と床部構成部材２とはコーナー部においても略段差なく連結される。なお、図８に示すように、床部構成部材２の上端部２０ａと枠部構成部材３ａ（３ｂ）との隙間には、床部構成部材２同士の連結と同様にＴＰＯ製の目地材７ａが圧入されるようになっている。
【００５０】
枠部構成部材３ａと、枠部構成部材３ｃとは、図１1に示すように、枠部構成部材３ａの枠部構成部材３ｃに当接する面の下端部を切り欠き、この切欠部３８に嵌合突条８１を備えた金具８をビス８２で固定した状態で、枠部構成部材３ｃの嵌合溝３４ａにシーリング剤を充填するとともに、嵌合突条８１を嵌合させることによって連結される。
また、枠部構成部材３ｃの立ち上がり壁３６と床面構成部材２の上端部２０ａとの隙間には、床部構成部材２同士の連結と同様にＴＰＯ製の目地材７ａが圧入されるようになっている。
【００５１】
一方、枠部構成部材３ｃと、枠部構成部材３ａとの隙間には、図９□に示すように、シーリング剤７ｄを充填したのち、図１２に示すように、カバー材７ｅを上方から被せるようになっている。
【００５２】
なお、この床パン１の組み立ては、通常、工場において実施されるが、浴室等の施工現場で作業者が行なうようにしても構わない。
【００５３】
また、本発明の床パンは、たとえば、床面構成部材として、平面視縦５００ｍｍ×横５００ｍｍの床面構成部材Ａ、平面視縦５００ｍｍ×横３７５ｍｍの床面構成部材Ｂおよび平面視縦３７５ｍｍ×横３７５ｍｍの床面構成部材Ｃの寸法の異なる３種の床面構成部材を用意するとともに、枠部構成部材として、枠部構成部材３ｃ以外に、平面視幅２５ｍｍの枠部構成部材Ａ、平面視幅５０ｍｍの枠部構成部材Ｂ、平面視幅７５ｍｍの枠部構成部材Ｃ、平面視幅１００ｍｍの枠部構成部材Ｄ、平面視幅１２５ｍｍの枠部構成部材Ｅ、平面視幅１５０ｍｍの枠部構成部材Ｆの寸法の異なる６種の枠部構成部材を用意する。
【００５４】
そして、床面構成部材を床面構成部材Ａ〜Cから少なくとも１種から選択するとともに、枠部構成部材を枠部構成部材Ａ〜Fのうちから選択することによって床パン寸法を５０mmピッチで変更することができる。
【００５５】
因みに、洗い場内寸法1050ｍｍ×1800ｍｍの床パンの場合、平面視縦５００ｍｍ×横５００ｍｍの床面構成部材Ａと、平面視幅５０ｍｍの枠部構成部材Ｂと、平面視幅１５０ｍｍの枠部構成部材Ｆとを組み合わせることにより形成することができる。
また、このとき、排水口蓋２ｂを平面視縦２５０ｍｍ×横２５０ｍｍとし、傾斜面部２２ａの勾配を１／５０とすれば、蓋本体２７の中央を始点とすると水平方向の長さが１２５ｍｍであり、勾配が１／５０であるから、蓋本体２７の表面の最高点と最低点との高低差は２．５ｍｍとなる。そして、床面構成部材２の床面部２１の最高点と最低点との高低差も傾斜面２１ａの水平方向の長さが、１２５ｍｍであり、勾配が１／５０であるから、２．５mmとなる。
【００５６】
これに対して洗い場内寸法1050ｍｍ×1800ｍｍの図１５に示すような床パン３００の場合、1050ｍｍ幅方向へ一方向へ排水勾配を設けたときに最高点と最低点との高低差は21mmとなる。
したがって、本発明のような床パンの構造にすれば、床面の最高点と最低点との高低差を小さくでき、結果として床パン全体の厚みを薄くすることができることがわかる。
【００５７】
上記のようにして組み立てられた床パン１は、以下のようにして洗い場の床構造を構築することができる。
すなわち、図３〜図５に示すように、板状構造材９の排水口２３に対応する部分に孔９０を設け、板状構造材９を支持脚９１によって建物躯体の床面９３に設置するととともに、排水口２３が設けられた筒部が前記孔９０から下方を臨むように床パン１との間にブチルゴムなどで形成された防水シート９４を介在させた状態で床パン１を板状構造材９によって下方から受けさせる。各支持脚９１の高さ調整により床パン１が水平になるようにレベル調整する。
【００５８】
そして、図２、図３、および図５に示すように、各排水口２３に排水管Ｐを接続し、各排水口２３毎に排水できるように配管する。排水管Ｐのうち排水口に接続する部分およびその近傍は、フレキシブルタイプの配管材を用いることが好ましい。すなわち、フレキシブルタイプの配管材を用いることによって床パネル１の設置高さの調整許容高さを大きくすることができる。
【００５９】
この床構造によれば、床パン１の各床面構成部材２の床面部２１上に流れ落ちた湯水は、床面部２１の傾斜面２１ａの勾配によって、流れ落ちた各床面構成部材２の排水口２３に向かって流れ、窪み部２２に流れ込む。また、排水口蓋２ｂ上に流れ落ちた湯水は蓋本体２７の傾斜面２７ａの勾配によって一端床面構成部材本体２aの側縁方向に流れ、蓋本体２７と床面構成部材本体２aとの隙間から窪み部２２に流れ込む。
窪み部２２に流れ込んだ湯水は、排水口２３方向に流れ、水溜り部２２ｃに流れ込むが、この水溜り部２２ｃが筒状部２８によって仕切られているので、水溜り部２２ｃに流れ込んだ湯水は、筒状部２８の外側の壁面と水溜り部２２ｃの外側の内壁面と間の隙間、筒状部２８の下端と水溜り部２２ｃの底との隙間、筒状部２８の内側の壁面と水溜り部２２ｃの内側の内壁面との隙間を通って排水口２３へと流れ込む。すなわち、水溜り部２２ｃ内に常に水が封水として溜まった状態が維持される。したがって、排水管側から室内側への悪臭の入り込みを完全に防止できる。
【００６０】
また、上記床構造では、板状構造材９と床パン１との間に防水シート９４が設けられているので、床パン側からの漏水をより確実に防止することができる。
【００６１】
本発明は、上記の実施の形態に限定されない。たとえば、上記の実施の形態では、連結部材を介して床面構成部材同士あるいは床面構成部材と枠部構成部材とが連結されるようになっていたが、熱融着や接着剤等によって連結固定するようにしても構わない。
上記の実施の形態では、封水手段が水溜り部と筒状部とによって形成されていたが、排水口に接続される配管に公知の封水手段を取り付けるようにしても構わない。
【００６２】
上記の実施の形態では、各床面構成部材の排水口がそれぞれ排水配管と接続されるようになっていたが、天井高さが十分に確保できる場合には、本発明の床パンの下方に排水口を１つ備える排水パンを配置し、各床面構成部材の排水口から排水される湯水をこの排水パンで受けてこの排水パンに接続された排水配管から下水等へ排水させるようにしても構わない。
上記の実施の形態では、同種の６つの床面構成部材を用いて床面を形成するようにしていたが、異形の床面構成部材を組み合わせて５つ以下、７つ以上の床面構成部材を用いるようにしても構わない。また、床面部の表面デザインを隣接する床面構成部材間で買えるようにしても構わない。
【図面の簡単な説明】
【００６３】
【図１】本発明にかかる床パンの１つの実施の形態をあらわす平面図である。
【図２】図１の床パンを用いた床構造の排水管および支持脚の配置を説明する説明図である。
【図３】図２のＡ−Ａ線断面図である。
【図４】図１のＢ−Ｂ線断面図である。
【図５】図３のＣ部拡大断面図である。
【図６】図１のＤ部拡大平面図である。
【図７】図１のＥ部拡大平面図である。
【図８】図７のＦ−Ｆ線断面図である。
【図９】図１のＥ部の床部構成部材およびカバー材を取り除いた状態をあらわす平面図である
【図１０】図１のＧ−Ｇ線断面図である。
【図１１】図１のＨ−Ｈ線断面図である。
【図１２】図１のＩ−Ｉ線断面図である。
【図１３】図１のＪ部拡大平面図である。
【図１４】従来の浴室ユニットの断面図である。
【図１５】従来の床パンの平面図である。
【符号の説明】
【００６４】
１  床パン
２  床面構成部材
２a  床面構成部材本体
２ｂ  排水口蓋
２１  床面部
２１ａ  傾斜面
２２  窪み部
２２ｃ  水溜り部
２３  排水口
２８  筒状部
２９  支持脚
３ａ、３ｂ、３ｃ  枠部構成部材
３１  側壁部
３２、３５  傾斜床面形成部
３３  垂直面
３４  床面構成部材受部
９  板状構造材
９１  支持脚
９４  防水シート
【図１】
2008095433.tif 000003
【図２】
2008095433.tif 000004
【図３】
2008095433.tif 000005
【図４】
2008095433.tif 000006
【図５】
2008095433.tif 000007
【図６】
2008095433.tif 000008
【図７】
2008095433.tif 000009
【図８】
2008095433.tif 000010
【図９】
2008095433.tif 000011
【図１０】
2008095433.tif 000012
【図１１】
2008095433.tif 000013
【図１２】
2008095433.tif 000014
【図１３】
2008095433.tif 000015
【図１４】
2008095433.tif 000016
【図１５】
2008095433.tif 000017